(57)【要約】【課題】複数の収納空間を有するバッグを蓋板と組合わせて成る分配包装体において、とくに蓋板１０の折曲げ線に沿って複数の吐出口の形成のための構造を工夫し、これによってより確実に開封動作が行なわれるようにする。【解決手段】蓋板１０の折曲げ線２５に対してその両側に互いに対向するように突部１４を形成し、これら突部１４の互いに対向する先端面を傾斜面２６とするとともに、傾斜面２６によって折曲げ線２５に沿ってＶ字状の凹部が形成されるようにする。そして両側の傾斜面２６から互いに対向するように錐状突出し部２７を突出させ、両側の錐状突出し部２７の先端側の当接部２８を当接させ、蓋板１０を折曲げると、当接部２８に応力が集中して破断し、折曲げ線２５に沿ってて複数の吐出口２９が同時に形成されるようにする。【選択図】図９
2015105121.tif 000002
【特許請求の範囲】
【請求項１】
互いに独立した複数の収納空間を有するバッグと、
前記バッグの開口部を塞ぐように前記バッグと接合される蓋板と、
を具備し、前記蓋板の所定の折曲げ線に沿って配置される複数の吐出位置には、その両側にそれぞれ先端側の端面が互いに対向するように前記折曲げ線よりも外側に突出して突部が形成されるとともに、前記突部の先端側端面に錐状突出し部が連設され、両側の前記錐状突出し部の先端部が互いに突合わされて当接部を形成し、
前記蓋板を前記折曲げ線を中心として前記バッグが挟着されるように折曲げると、それぞれの吐出位置で前記両側の突部の先端の前記錐状突出し部が前記当接点のところから破断されて前記蓋板に前記バッグの各収納空間に対応する吐出口が形成されて内容物が吐出される分配包装体。
【請求項２】
前記蓋板がポリプロピレン、もしくはポリプロピレンを主体とする多層体である請求項１に記載の分配包装体。
【請求項３】
前記蓋板の厚さが０．１〜２．０ｍｍの範囲内である請求項１に記載の分配包装体。
【請求項４】
前記蓋板上において前記錐状突出し部の当接点が前記折曲げ線に対して外方に偏倚し、前記折曲げ線を中心として前記蓋板を折曲げると前記当接点のところで両側の錐状突出し部が離間する方向に引張られて前記当接点のところから破断される請求項１に記載の分配包装体。
【請求項５】
前記両側の突部の先端側の端面がそれぞれ対応する突部の背面側に向って傾斜する傾斜面であって、両側の前記傾斜面によって断面Ｖ字状の凹部が前記蓋板の外表面上において前記折曲げ線に沿って形成され、該Ｖ字状の凹部内に突出するように両側の傾斜面上に前記錐状突出し部が突設され、しかも前記断面Ｖ字状の凹部の底部が折曲げ位置である請求項１に記載の分配包装体。
【請求項６】
前記蓋板の折曲げ位置に沿って２つあるいは３つ以上の吐出口が形成されるとともに、前記バッグの各収納空間が対応する前記吐出口と連通する請求項５に記載の分配包装体。
【請求項７】
前記バッグが隔壁によるか複数のバッグによって複数の収納空間を形成する請求項６に記載の分配包装体。
【請求項８】
前記突部が断面が半円である請求項１に記載の分配包装体。
【請求項９】
前記半円の突部の前端部の両側にすぼめ部が形成される請求項８に記載の分配包装体。
【請求項１０】
前記突部が断面が三角形である請求項１に記載の分配包装体。
【請求項１１】
前記突部の頂部が円弧状になっている請求項１０に記載の分配包装体。
【請求項１２】
前記突部が断面が台形状である請求項１に記載の分配包装体。
【請求項１３】
前記錐状突出し部が直線状の稜線で両側の三角形の板状部が交わり、三角形の吐出口を形成する請求項１に記載の分配包装体。
【請求項１４】
前記錐状突出し部が傾斜するか平坦な三角形の上面に両側の三角形の板状部が連なり、三角形の吐出口を形成する請求項１に記載の分配包装体。
【請求項１５】
前記錐状突出し部が三角形の上面に両側の板状部が連なり、該板状部の根元側が円弧状の輪郭で前記突部の傾斜面に交わり、三角形の吐出口を形成する請求項１に記載の分配包装体。
【請求項１６】
前記錐状突出し部が三角形の上面または直線状の稜線で両側の側面が連なり、上部が三角形で下部が四角形で全体として五角形の吐出口を形成する請求項１に記載の分配包装体。
【請求項１７】
前記両側の側面の根元側が円弧状の輪郭で前記突部の傾斜面に交わる請求項１６に記載の分配包装体。
【請求項１８】
前記両側の側板の根元側であって円弧状の輪郭の上部に上方突部が形成される請求項１７に記載の分配包装体。
【請求項１９】
前記上部の三角形の両側の斜辺が内側に凹むように湾曲している請求項１６に記載の分配包装体。
【請求項２０】
前記蓋板の所定の折曲げ線に沿って配置される複数の吐出位置には、その両側にそれぞれ先端側の傾斜面が互いに対向するように前記折曲げ線よりも外側に突出して突部が形成されるとともに、前記両側の突部の形状が互いに相違する請求項５に記載の分配包装体。
【請求項２１】
前記蓋板の所定の折曲げ線に沿って配置される複数の吐出位置には、その両側にそれぞれ先端側の傾斜面が互いに対向するように前記折曲げ線よりも外側に突出して突部が形成されるとともに、前記折曲げ線に沿って隣接する両側の突部の形状が互いに相違する請求項５に記載の分配包装体。
【発明の詳細な説明】
【技術分野】
【０００１】
本発明は分配包装体に係り、とくに柔軟なバッグを蓋板と接合し、蓋板の折曲げ位置を中心として折曲げるとこの折曲げ位置に沿って複数の吐出口が形成され、これらの吐出口を通して複数種類の内容物を吐出するようにした分配包装体に関する。
【背景技術】
【０００２】
例えば特開平１１−３０１７４６号公報や、特開２００１−１８０７６１号公報、特開２００１−３２８０９５号公報等によって、分配包装体が提案されている。これらの分配包装体は、硬質の蓋板と、柔軟なバッグとの組合わせであって、バッグの上部開口の周縁部を蓋板の周縁部に接合するように構成されており、バッグを挟着するように蓋板を中央の折曲げ位置を中心として折曲げると、折曲げ位置に吐出口が形成されてこの吐出口を通して内容物が吐出されるように構成されている。このような分配包装体は、バッグ内に充填される内容物、例えば調味料、添加物、ドレッシング、その他各種の食品を、１回分の容量を充填して使用することができるために、大きな容器に入っている食品に比べて衛生的であり、取扱が便利である。従って給食や外食産業等において広く用いられる傾向にある。
【０００３】
このような分配包装体は、主要な材質として、その蓋板がポリスチレンであって内側にポリエチレンのバッグを接合した構造が採用されている。そして吐出口を形成する蓋板の折曲げ位置にハーフカットの切れ目を入れるようにしており、蓋板をそのハーフカットが形成されている折曲げ位置を中心として折曲げると吐出口が開口して形成されるようになっている。ところが、従来の分配包装体においては、折曲げる際に外側のポリスチレンのハーフカットが形成されている部分は破断されるものの、その蓋板の内側に接合されているポリエチレンは破断することなく延伸し、これによって吐出口が形成されず、内容物が吐出されない不具合が予見される。また上記蓋板のポリスチレンの部分のハーフカットによって、使用する前に、物流に供するために移動中あるいは保管中に上記ハーフカットの部分が破断し、これによって内容物が流出してしまう事故が発生し易かった。すなわち吐出口が正しく破断して形成されなかったり、あるいはまたハーフカットによって蓋板の長辺方向を亀裂が横断する状態になり、事故の発生が予見される。また蓋板にハーフカットの切込みを形成していることから、蓋板の厚さを薄くすることができなかった。
【０００４】
このような分配包装体に関する問題点は、ツインタイプと称されるような、２種類の内容物をそれぞれ対応する吐出口から同時に吐出できるようにした分配包装体においても同様である。ツインタイプの分配包装体は、蓋板の折曲げ線に沿ってその２箇所にそれぞれ破断開口部が形成されるようになっており、しかもこのような破断開口部から成る吐出口に対応するように、バッグが隔壁によって２分割されるか、蓋板に２種類のバッグを接合した構造となっている。蓋板を折曲げ位置で折曲げると、それぞれの空間に入っている内容物が対応する吐出口から吐出されるようになる。このようなツインタイプの分配包装体において、破断が正しく行われ、円滑に吐出口から内容物が吐出されなければならなかったのに、従来のツインタイプの分配包装体においては、必ずしもこのような円滑な吐出動作が期待できなかった。
【先行技術文献】
【特許文献】
【０００５】
【特許文献１】特開平１１−３０１７４６号公報
【特許文献２】特開２００１−１８０７６１号公報
【特許文献３】特開２００１−３２８０９号公報
【発明の概要】
【発明が解決しようとする課題】
【０００６】
本願発明の課題は、蓋板を積層構造の材料から構成するとともに、内容物を注出するために折曲げ位置で折曲げた場合に、必ず複数の吐出口が折曲げ位置に沿って形成されるようにした分配包装体を提供することである。
【０００７】
本願発明の別の課題は、保管中や運搬中に、蓋板の吐出口が形成される位置が破断し、不測に内容物が流出することがないようにした分配包装体を提供することである。
【０００８】
本願発明の上記の課題および別の課題は、以下に述べる本願発明の技術的思想、およびその実施の形態によって明らかにされる。
【課題を解決するための手段】
【０００９】
本願の主要な発明は、互いに独立した複数の収納空間を有するバッグと、
前記バッグの開口部を塞ぐように前記バッグと接合される蓋板と、
を具備し、前記蓋板の所定の折曲げ線に沿って配置される複数の吐出位置には、その両側にそれぞれ先端側の端面が互いに対向するように前記折曲げ線よりも外側に突出して突部が形成されるとともに、前記突部の先端側端面に錐状突出し部が連設され、両側の前記錐状突出し部の先端部が互いに突合わされて当接部を形成し、
前記蓋板を前記折曲げ線を中心として前記バッグが挟着されるように折曲げると、それぞれの吐出位置で前記両側の突部の先端の前記錐状突出し部が前記当接点のところから破断されて前記蓋板に前記バッグの各収納空間に対応する吐出口が形成されて内容物が吐出される分配包装体に関するものである。
【００１０】
ここで、前記蓋板がポリプロピレン、もしくはポリプロピレンを主体とする多層体であってよい。また前記蓋板の厚さが０．１〜２．０ｍｍの範囲内であってよい。
【００１１】
また、前記蓋板上において前記錐状突出し部の当接点が前記折曲げ線に対して外方に偏倚し、前記折曲げ線を中心として前記蓋板を折曲げると前記当接点のところで両側の錐状突出し部が離間する方向に引張られて前記当接点のところから破断されてよい。また前記両側の突部の先端側の端面がそれぞれ対応する突部の背面側に向って傾斜する傾斜面であって、両側の前記傾斜面によって断面Ｖ字状の凹部が前記蓋板の外表面上において前記折曲げ線に沿って形成され、該Ｖ字状の凹部内に突出するように両側の傾斜面上に前記錐状突出し部が突設され、しかも前記断面Ｖ字状の凹部の底部が折曲げ位置であってよい。また前記蓋板の折曲げ位置に沿って２つあるいは３つ以上の吐出口が形成されるとともに、前記バッグの各収納空間が対応する前記吐出口と連通してよい。また前記バッグが隔壁によるか複数のバッグによって複数の収納空間を形成してよい。
【００１２】
また、前記突部が断面が半円であってよい。ま前記半円の突部の前端部の両側にすぼめ部が形成されてよい。また前記突部が断面が三角形であってよい。また前記突部の頂部が円弧状になっていてよい。また前記突部が断面が台形状であってよい。
【００１３】
また、前記錐状突出し部が直線状の稜線で両側の三角形の板状部が交わり、三角形の吐出口を形成してよい。また前記錐状突出し部が傾斜するか平坦な三角形の上面に両側の三角形の板状部が連なり、三角形の吐出口を形成してよい。また前記錐状突出し部が三角形の上面に両側の板状部が連なり、該板状部の根元側が円弧状の輪郭で前記突部の傾斜面に交わり、三角形の吐出口を形成してよい。また前記錐状突出し部が三角形の上面または直線状の稜線で両側の側面が連なり、上部が三角形で下部が四角形で全体として五角形の吐出口を形成してよい。また前記両側の側面の根元側が円弧状の輪郭で前記突部の傾斜面に交わるようにしてよい。また前記両側の側板の根元側であって円弧状の輪郭の上部に上方突部が形成されてよい。また前記上部の三角形の両側の斜辺が内側に凹むように湾曲していてよい
また、前記蓋板の所定の折曲げ線に沿って配置される複数の吐出位置には、その両側にそれぞれ先端側の傾斜面が互いに対向するように前記折曲げ線よりも外側に突出して突部が形成されるとともに、前記両側の突部の形状が互いに相違してよい。また前記蓋板の所定の折曲げ線に沿って配置される複数の吐出位置には、その両側にそれぞれ先端側の傾斜面が互いに対向するように前記折曲げ線よりも外側に突出して突部が形成されるとともに、前記折曲げ線に沿って隣接する両側の突部の形状が互いに相違してよい。
【発明の効果】
【００１４】
本願の主要な発明は、互いに独立した複数の収納空間を有するバッグと、前記バッグの開口部を塞ぐように前記バッグと接合される蓋板と、を具備し、前記蓋板の所定の折曲げ線に沿って配置される複数の吐出位置には、その両側にそれぞれ先端側の端面が互いに対向するように前記折曲げ線よりも外側に突出して突部が形成されるとともに、前記突部の先端側端面に錐状突出し部が連設され、両側の前記錐状突出し部の先端部が互いに突合わされて当接部を形成し、前記蓋板を前記折曲げ線を中心として前記バッグが挟着されるように折曲げると、それぞれの吐出位置で前記両側の突部の先端の前記錐状突出し部が前記当接点のところから破断されて前記蓋板に前記バッグの各収納空間に対応する吐出口が形成されて内容物が吐出されるようにしたものである。
【００１５】
従ってこのような分配包装体によると、バッグが内側に押潰されるように挟着して蓋板を折曲げ線を中心として折曲げると、この蓋板のそれぞれの吐出位置において両側の突部の先端の錐状突出し部が当接点のところから破断されることになり、蓋板にはバッグの各収納空間に対応する吐出口が形成され、内容物が吐出される。とくに当接点が折曲げ線に対して蓋板の外側に偏倚しているために、蓋板を折曲げ線を中心に折曲げると、当接点で応力の集中が起こって破断され、これによって確実な開口動作が達成され、確実に吐出口が形成される。しかもこのような構造は、蓋板に予めハーフカットの切込みを入れておく必要がなくなるために、不測に蓋板の吐出位置が破断して開口が形成され、内容物が漏出されることがない。また蓋板の内側に補助フィルムを接合しておいても、補助フィルムが蓋板と一緒に破断されるようになるために、開封ミスが発生することもない。
【図面の簡単な説明】
【００１６】
【図１】第一の実施の形態の分配包装体の外観斜視図である。
【図２】同分配包装体の平面図である。
【図３】同分配包装体の長さ方向に沿う断面図である。
【図４】同分配包装体の幅方向に沿う断面図である。
【図５】開封の動作を示す断面図である。
【図６】錐状突出し部による開封の原理を示す要部縦断面図である。
【図７】別の実施の形態の分配包装体の外観斜視図である。
【図８】同分配包装体の平面図である。
【図９】蓋板の突部の構成を示す要部斜視図である。
【図１０】同蓋板の突部の先端部の錐状突出し部の構造を示す正面図である。
【図１１】蓋板の突部および錐状突出し部の構造を示す側面図である。
【図１２】別の形態の突部の外観斜視図である。
【図１３】同突部の正面図である。
【図１４】同突部の側面図である。
【図１５】別の突部の斜視図である。
【図１６】同突部の錐状突出し部の構造を示す正面図である。
【図１７】同突部の側面図である。
【図１８】別の突部の構成を示す斜視図である。
【図１９】同突部の先端側の錐状突出し部の正面図である。
【図２０】同突部の側面図である。
【図２１】別の突部の外観斜視図である。
【図２２】同突部の錐状突出し部の正面図である。
【図２３】同突部の側面図である。
【図２４】錐状突出し部の構造を示す斜視図である。
【図２５】同錐状突出し部の正面図である。
【図２６】同錐状突出し部の側面図である。
【図２７】別の錐状突出し部の構成を示す斜視図である。
【図２８】同錐状突出し部の正面の構造を示す正面図である。
【図２９】同錐状突出し部の側面図である。
【図３０】別の錐状突出し部の構成を示す斜視図である。
【図３１】同錐状突出し部の正面図である。
【図３２】同錐状突出し部の側面図である。
【図３３】別の錐状突出し部の構成を示す斜視図である。
【図３４】同錐状突出し部の正面図である。
【図３５】同錐状突出し部の側面図である。
【図３６】別の錐状突出し部の斜視図である。
【図３７】同錐状突出し部の正面図である。
【図３８】同錐状突出し部の側面図である。
【図３９】別の錐状突出し部の斜視図である。
【図４０】同錐状突出し部の正面図である。
【図４１】同錐状突出し部の側面図である。
【図４２】別の錐状突出し部の斜視図である。
【図４３】同錐状突出し部の正面図である。
【図４４】同錐状突出し部の側面図である。
【図４５】別の錐状突出し部の斜視図である。
【図４６】同錐状突出し部の正面図である。
【図４７】同錐状突出し部の側面図である。
【図４８】別の錐状突出し部の斜視図である。
【図４９】同錐状突出し部の正面図である。
【図５０】同錐状突出し部の側面図である。
【図５１】別の実施の形態の分配包装体の外観斜視図である。
【図５２】同分配包装体の平面図である。
【図５３】同分配包装体の錐状突出し部の要部斜視図である。
【図５４】同錐状突出し部の正面図である。
【図５５】同錐状突出し部の側面図である。
【図５６】別の実施の形態の分配包装体の外観斜視図である。
【図５７】同分配包装体の平面図である。
【図５８】同分配包装体の折曲げ線に沿う拡大断面図である。
【図５９】折曲げ線の両側の突部の側面図である。
【発明を実施するための形態】
【００１７】
以下本願発明を図示の実施の形態によって説明する。図１〜図４は、第１の実施の形態の分配包装体を示している。この包装体は、蓋板１０とバッグ１１とから構成される。蓋板１０は、例えばポリプロピレン／ＥＶＯＨ（エチレン−ビニルアルコール共重合体）を含むシーラント層／ポリプロピレンの三層構造を成しており、厚さが０．１〜２．０ｍｍの範囲内、より好ましくは０．３〜０．４ｍｍの比較的硬質の材料によって成形されたものである。なお蓋板１０は、ＰＰ単体、ＰＰを主体とする多層体（ＥＶＯＨ等のバリア層や接着剤層等を含んだものであってよい。）の材料であってもよい。これに対してバッグ１１は、例えばポリプロピレンとＥＶＯＨとの積層構造体を成し、中に内容物を充填する容器になっている。そしてバッグ１１の外周側であって上部開口の周縁部は蓋板１０の下縁の周縁部に接合されて内容物が充填された状態でシールされている。なおバッグ１１の材料としては、ＰＰ、ＰＰ／ＥＶＯＨ／ＰＰ、ＰＰ／ＰＥ／ＥＶＯＨ／ＰＥ等の構成であってもよい。
【００１８】
本実施の形態の分配包装体は、内部の空間が２分割されるとともに、それぞれの空間に応じて吐出口が形成され、複数種類の内容物が吐出される分配包装体である。このような分配包装体の内部に充填される物質の組合わせを例示すると、トマトケチャップ／マスタード、バルサミコ／オリーブオイル、ジャム／マーガリン、マヨネーズ／ソース、マヨネーズ／ドレッシング、はつみつ／レモン、しょうゆ／わさび、たれ／からし、タルタルソース／レモン、しゃぶたれ／ゆず、カスタード／いちごソース等である。
【００１９】
蓋板１０の上面には、互いに対向するようにその左右にそれぞれ一対ずつの突部１４が形成されている。突部１４は断面が半円形であって、背面側に向って緩やかな斜面１８を備えるとともに、斜面１８のほぼ中央部に円弧状リブ２１が形成されている。なお長さ方向の両端にはそれぞれ三角形の突部２２が形成されるようになっている。このような構造によって、蓋板１０は所定の剛性を備えている。
【００２０】
次にとくに破断部の構造について説明すると、図２および図３において鎖線で示す折曲げ位置２５に対して突部１４の前端面が傾斜面２６から構成されている。すなわち突部１４はその前端部が斜めに傾斜し、両側の傾斜面２６の間にＶ字状の凹部が形成されている。そして両側の傾斜面２６には互いに対向するように錐状突出し部２７あるいはくちばし状突出し部が形成されている。これらの錐状突出し部２７は、それらの先端部が互いに当接部２８（図９〜図１１参照）で当接し、これらの当接部２８が応力集中点を構成している。
【００２１】
このような互いに突当てられた一対の錐状突出し部２７によって、吐出口２９を形成するようになっている。しかも蓋板１０の下面のバッグ１１は、隔壁１２によって内部が２つの空間に区画されており、２つの空間にはそれぞれ別々に内容物が充填されるようになっており、しかもそれぞれの空間が一対の吐出口２９と連通するようになっている。
【００２２】
このような分配包装体の開封は、図３に示す分配包装体を上下逆様にし、この後に図５に示すように折曲げ位置２５を中心として蓋板１０の両端部を上方に折曲がるようにするとともに、蓋板１０の折曲げ部分によってその内側にバッグ１１を挟着する。バッグ１１は内容物を充填してあるものの、柔軟な材料から構成されているために、折曲げ位置２５を中心として蓋板１０を折曲げると、バッグ１１が押潰される。そして同時に上記蓋板１０の折曲げによって、両側の錐状突出し部２７の先端側の当接部２８に応力が集中し、この当接部２８が破断して吐出口２９を形成する。従って蓋板１０を両側から互いに近接するように押すと、バッグ１１内の内容物６０が吐出口２９を通して押出されて吐出動作が行われる。ここでバッグ１１の隔壁１２によって区画された２つの空間の内容物６０は、それぞれ対応する吐出口２９から吐出される。
【００２３】
図６はとくに錐状突出し部２７による開封の動作を示すものであって、図６Ａに示すように、二層構造の場合には、折曲げ位置２５に対して外側であって上方に偏倚している両側の錐状突出し部２７に対して、蓋板１０の折曲げ時に互いに離間する方向の力が働き、当接部２８の部分が破断されて吐出口２９が形成される。すなわち表面層５１の内側に内層５２を備える場合には、表面層５１と内層５２とが一緒になって錐状突出し部２７の部分で離間するように破断される。蓋板１０の構造が図６Ｂに示すように３層であって、表面層５１と内層５２と最内層５３から構成される場合には、これら３つの層５１、５２、５３の積層体から成る錐状突出し部２７が当接部２８のところで一緒に破断されて吐出口２９が形成される。
【００２４】
図６Ｃは従来のこの種の分配包装体を示しており、表面層５６には予めハーフカット５８が形成されるとともに、表面層５６の内側に内層５７を備えていた。蓋板１０を折曲げると、表面層５６は破断されて開口が形成されるものの、内層５７が内側に偏倚するように移動し、これによって開封ミスが起こる欠点があった。本願においては、錐状突出し部２７は、突部１４の傾斜面２６と交わり、突部１４の上面へつながる形状を構成している。そのことから、該形状のつながり方向および流れは、開封の方向と一致しており、さらに傾斜面２６から上面へつながる形状が折込んだ形状をなしている。従って図6Ｂに示すように、表面層５１と最内層５３とを同一の割れることが可能な樹脂にすることによって、同時にそれらの２層が破断する。これによって柔らかく薄い内層５２も破断されるようになる。
【００２５】
次に全体の構成の別の形態を図７および図８によって説明する。この実施の形態は、折曲げ位置２５の両側に位置する突部１４の形状が同一ではなく、一方が長く他方が短くなっている。そして両側に偏倚される突部１４については、それらの両端形状が逆になっている。また短い方の突部１４の端部には別の突部２２が配置されている。これらの突部２２は蓋板１０の剛性を高めるためのものである。そしてこのような構成においても、蓋板１０を折曲げ位置２５を中心として折曲げることによって、両側にそれぞれ吐出口２９が形成され、これらの吐出口２９から隔壁１２によって区画された２つの空間の中に充填されている内容物がそれぞれ吐出されるようになる。
【００２６】
次に蓋板１０の上面に形成される突部１４の形態について説明する。図９〜図１１は、断面形状が半円形の突部１４を示している。そして突部１４には、その背面側の部分に緩やかな斜面１８が形成されている。そして緩やかな斜面１８の背面側が平坦面１９に構成され、この平坦面１９に凹溝２０が形成される。そして緩やかな斜面１８には円弧状リブ２１が形成される。
【００２７】
突部１４の前端側にはくちばし状に錐状突出し部２７が形成されている。この錐状突出し部２７の先端部が当接部２８を構成しており、蓋板１０を折曲げ線２５を中心に折曲げると、当接部２８の下側に吐出口２９が開口する。
【００２８】
次に図１２〜図１４によって別の突部１４の構成を説明する。この突部１４の特徴は、その前端側であって両側の部分にすぼめ部４１が形成されていることである。すぼめ部４１は、突部１４のとくに前端側の部分の変形を防止し、剛性を高めるようにしている。突部１４が柔らかくて変形し易いと、蓋板１０を折曲げる際に確実な破断動作が期待できない。これに対してすぼめ部４１を形成すると、突部１４の剛性が向上するようになり、より完全な開封動作が達成される。
【００２９】
次に図１５〜図１７によって、別の突部１４について説明する。この突部１４は、その断面形状がほぼ三角形であって、頂面側が円弧状の断面形状を成している。なおそれ以外の構成、とくに前端側の傾斜面２６に形成される錐状突出し部２７の構成は、図９〜図１１に示す構成と同様である。
【００３０】
図１８〜図２０に示す突部１４は、その断面形状が三角形になっており、上面が直線状の稜線によって構成されている。なおそれ以外の構成は、図１５〜図１７に示す突部１４と同様である。
【００３１】
次に図２１〜図２３に示す突部１４について説明する。この突部１４は、その断面形状が台形状を成しており、背面側に向って緩やかな斜面１８が形成され、しかもその上に円弧状リブ２１が形成されている。またさらに背面側は平坦面１９に構成され、この平坦面１９には凹溝２０が形成されている。なお前端側の傾斜面２６に形成される錐状突出し部２７は、上記図９〜図１１に示す錐状突出し部２７と同様である。
【００３２】
次に錐状突出し部２７の各種の形状について以下に説明する。
【００３３】
図２４は三角形の吐出口２９が形成される錐状突出し部２７であって、両側の三角形の傾斜面３４が直線状をなす稜線によって交差し、しかも稜線は前端が低くなるように斜めになっている。そして両側の稜線が当接部２８のところで当接している。この当接部２８が折曲げ位置２５に対して蓋板１０の外方に偏倚しており、蓋板１０を折曲げ線２５に沿って折曲げると、両側の錐状突出し部２７の当接部２８に応力が集中して破断され、吐出口２９が形成される。
【００３４】
図２７〜図２９に示す構成は、同じく三角形の傾斜面の吐出口２９が形成されるものであって、錐状突出し部２７の両側の三角形の板状部は、上面に位置する三角形の平坦面３５と交わるようになっている。そして両側の三角形の頂点と上面の三角形の平坦面３５の頂点が互いに当接部２８のところで交わり、ここが応力集中点になる。従って折曲げ線２５を中心として蓋板１０を折曲げると、応力集中点を構成する当接部２８のところで破断し、吐出口２９が形成される。このような構成は、図２４〜図２６の形状による錐状突出し部２７の沈込みの変形を回避することを目的としている。このように平坦な三角形３５が頂面になると、錐状突出し部２７の変形強度がさらに改善され、蓋板１０をゆっくり折曲げても、錐状突出し部２７に変形が起こり難くなる。
【００３５】
図３０〜図３２は、同じく三角形の傾斜面の吐出口２９が形成されるものであって、錐状突出し部２７の両側の三角形の板状部が、上面に位置する三角形の傾斜面３４と交わるようになっている。そして両側の三角形の頂点と上面の三角形の板状部３４の頂点が互いに当接部２８のところで交わり、ここが応力集中点になる。従って折曲げ線２５を中心として蓋板１０を折曲げると、応力集中点を構成する当接部２８のところで破断し、吐出口２９が形成される。
【００３６】
このように上面に傾斜した三角形３４を配置した錐状突出し部２７にすると、破断し易さが改善され、蓋板１０を折曲げて吐出口２９を開口させる際に、蓋板１０をゆっくり折曲げても、確実に開封動作が行なわれる。すなわち錐状突出し部２７の両側の三角形が図２４〜図２６のように直線状の稜線で交わる構成の場合には、錐状突出し部２７が沈み込み易くなるために、ゆっくりと開くのには適していない。これに対して図３０〜図３２に示す構成は、蓋板１０をゆっくり折曲げても、確実に開封動作が達成される利点をもたらす。
【００３７】
次に図３３〜図３５の構成について説明する。この構成は、錐状突出し部２７の両側の板状部の根元側の部分を円弧状にし、突部１４の前端部の傾斜面２６に円弧状に交わるようにしたものである。このように錐状突出し部２７の根元側を円弧状にすることによって、錐状突出し部２７が根元側の３次元曲面から開口２９側の平面形状へと徐変し、変形歪を吸収し易い形状になって、歪が生じ難くなる。従って、蓋板１０を折曲げるときに、錐状突出し部２７が変形することなく、当接部２８において応力の集中が起こり、当接部２８が破断して吐出口２９が確実に形成される。
【００３８】
図３６〜図３８は、突部１４の傾斜面２６に形成される錐状突出し部２７の構造をさらに改善し、錐状突出し部２７を全体して円弧状面から構成するとともに、上面には前端側が下降した三角形の傾斜面３４を連設している。そしてこのような錐状突出し部２７の当接部２８のところで破断を行なったときに形成される吐出口２９が、図３７に示すように五角形になっており、上側の部分が三角形であって下側の部分が四角形であり、これら２つの形状を組合わせた五角形の吐出口２９が形成されるようにしている。このような構成は、良好な開封性が得られる。すなわち吐出口２９が三角形の場合には、破断開始時点においては容器の折畳み角度が大きく、開口するように錐状突出し部２７を引張る力が吐出口２９側に十分伝達されるとともに、引張り力も大きい。ところが折畳みが進行して折畳み角度が小さくなると、折る力が吐出口２９側に伝わり難くなり、引張ろうとする力が小さくなる。これは引張る力が容器の長手方向の両端に向うのに対して、吐出口２９はそれと９０度異なる方向へ破断が進行していくことによる。そこでここでは吐出口２９を途中から容器の折曲げ方向と同一として良好な開封性を可能にしている。
【００３９】
図３９〜図４１に示す錐状突出し部２７は、全体がほぼ円弧状をなす曲面によって構成されるとともに、錐状突出し部の先端側の上端に短い稜線が形成され、この稜線は円弧面に徐変している。そして錐状突出し部２７はそのほぼ全周において曲線で傾斜面２６に交わっている。すなわちこの構成は、図３６〜図３８の錐状突出し部２７にさらに改善を加えたものである。図３６〜図３８の場合は、錐状突出し部２７の上面の三角形３４が傾斜面２６と線で交わる構成にしている。そのために蓋板１０を折曲げると、傾斜面２６と破断開始点２８とをつなぐ形状が三角形３４であるため、錐状突出し部２７の上面の三角形３４と傾斜面２６とが線で交わるようになり、この三角形３４の部分と円弧状の傾斜面２６との交わり位置で歪が生じ易い。そこで図３９〜図４１においては、錐状突出し部２７の上面の三角形３４を１本の稜線に置換えることで、錐状突出し部２７の上部の稜線と傾斜面２６との交わり形状を点接続に変更することができるから、傾斜面２６において円弧で変形歪を吸収するという効果を得ている。
【００４０】
次に別の実施の形態を図４２〜図４４によって説明する。この実施の形態は、図３９〜図４１の実施の形態にさらに改良を加えたものである。ここでは、ほぼ円弧状をなす錐状突出し部２７であって、傾斜面２６と接する部分が円弧状に構成された錐状突出し部２７としている。そして両側の錐状突出し部の壁面が、前方に向って下方に傾いている稜線で交差するようになっており、この稜線の先端側が当接部２８になっている。すなわち破断開始点となる応力集中点２８から傾斜面２６に向って稜線が立上がっており、このような構成は、とくに当接部２８における応力集中が効果的に行なわれ、小さな力を加えるだけでより確実に吐出口２９が形成され、良好な開封性が得られる。
【００４１】
次に図４５〜図４７によってさらに別の錐状突出し部の構成について説明する。この錐状突出し部は、その上面が直線状をなす稜線から構成されるとともに、稜線の傾斜面２６側の部分に上方突部４２を構成している。このような上方突部４２を形成した錐状突出し部２７は、蓋板１０を折曲げる際に傾斜面２６の上方に引上げられるようになり、これによって破断開始点２８への応力集中が高まり、破断し易さが改善された。従って当接部２８における開封のための応力の集中がさらに確実に行なわれるようになる。
【００４２】
次に図４８〜図５０によってさらに別の錐状突出し部２７について説明する。この錐状突出し部２７は、全体としてはほぼ円弧状をなし、根元側の部分が円弧面によって傾斜面２６に接している。そしてとくに応力集中点を構成する当接部２８の部分から下方に向って開口される吐出口２９は、上側の部分がほぼ三角形であって下側の部分が四角形の形状をなすとともに、上側の三角形の両辺が内側へ凹んだ形状成している。このような構造によっても、錐状突出し部２７の吐出口２９の破断面の端面において、破断開始点である当接部２８は、その他の端面より肉厚が厚く形成されていたが、逆Ｒ状に凹ますことによって、概ね他の端面と比べて均一に成形できるようになり、さらに破断開始点である当接部２８の破断し易さが向上している。従って蓋板１０を折曲げる際における当接部２８での応力の集中の効果がさらに改善される。
【００４３】
次にさらに別の実施の形態を図５１〜図５５によって説明する。この実施の形態は、とくに図５１、図５２に示すように、蓋板１０上に配置される突部１４が、折曲げ位置２５の両側で互いに異なっている。これは、隔壁１２の両側の部分の２つの収納空間の形状をそれぞれＬ字状に配置することによって、粘度の高い内容物であっても充填することが可能になる。すなわち図１、図２に示す構造の場合には、２分割された内部の空間は細長い形状をしているために、粘度が高い内容物を充填する際に複数の充填ノズルが必要となる恐れがある。ところがペースト状物質を含む液体は、放射状に拡がる性質があるために、内部空間をＬ字型ポケットとし、内容物の収納部の長さを短縮化して、単一のノズルによる充填の可能性を拡大している。
【００４４】
また図５３〜図５５に示すように、折曲げ線２５に沿って配置され、一対の吐出口２９をそれぞれ形成する互いに両側に隣接する突部１４の形状も異なっている。すなわち図５３において右側の一方の突部１４は、背面側に長く延びており、とくに図５１、図５２に示すように、後側に緩やかな傾斜面１８および平坦面１９を備えている。これに対して図５３において左側であって隣接する他方の突部１４は、円弧状にずんぐりしており、長さ方向の寸法が小さくなっている。このように背面方向の寸法が小さくなると、天面が薄くなって強度のバランスが崩れる可能性があるために、とくに短い突部１４については、背面側の部分を円弧状にするとともに、さらにこの突部１４の上端を図５４に示すように、長さ方向と直交する幅方向の断面の頂部を小さな円弧形状から構成し、このような円弧が両側の比較的大きな円弧と連続する曲線によって連結される構造としている。これによって、互いに両側に隣接し、かつ突部１４の形状が異なっても、それぞれの吐出口２９から円滑に内容物が吐出されることになる。
【００４５】
図５６〜図５9は、さらに別の実施の形態を示している。この実施の形態の特徴は、折曲げ線２５に沿って、その両側にそれぞれ配設される突部１４の形状に若干の変更を加えたものである。すなわちこれらの突部１４は、その折曲げ線２５から見た形状が、図５８に示すように、突部１４の長さ方向と直交する幅方向においてほぼ半円形の形状を成している。しかもこのような半円形の断面形状を有する突部１４の傾斜面２６側の前端側の部分にすぼめ部４１をそれぞれ形成した形状となっている。
【００４６】
このような構成によると、とくに突部１４の形状を平凡な半円形状としながら、しかも高い剛性を付与することが可能になり、これによって突部１４の変形を防止し、円滑な吐出を可能にすることになる。
【００４７】
以上本願発明を図示の実施の形態によって説明したが、本願発明は上記実施の形態によって限定されることなく、本願発明の技術的思想の範囲内において各種の変更が可能である。例えば上記実施の形態における蓋板１０の寸法、あるいはまたバッグ１１の容量等については各種の変更が可能である。またこのような容器によって充填される物質については、各種の物質に広く適用可能であって、特定の食品等に限定されるものではない。
【産業上の利用可能性】
【００４８】
本願発明は、１回の使用量に対応する量の２種類の内容物を充填して供給するように用いられる分配包装体として広く利用可能である。
【符号の説明】
【００４９】
１０  蓋板
１１  バッグ
１２  隔壁
１４  突部
１８  緩やかな斜面
１９  平坦面
２０  凹溝
２１  円弧状リブ
２２  突部
２５  折曲げ位置（折曲げ線）
２６  傾斜面
２７  錐状突出し部（くちばし状突出し部）
２８  当接部（応力集中点）
２９  吐出口
３４  三角形の傾斜面
３５  三角形の平坦面
４１  すぼめ部
４２  上方突部
５１  表面層
５２  内層
５３  最内層
５６  表面層
５７  内層
５８  ハーフカット
６０  内容物
【図１】
2015105121.tif 000003
【図２】
2015105121.tif 000004
【図３】
2015105121.tif 000005
【図４】
2015105121.tif 000006
【図５】
2015105121.tif 000007
【図６】
2015105121.tif 000008
【図７】
2015105121.tif 000009
【図８】
2015105121.tif 000010
【図９】
2015105121.tif 000011
【図１０】
2015105121.tif 000012
【図１１】
2015105121.tif 000013
【図１２】
2015105121.tif 000014
【図１３】
2015105121.tif 000015
【図１４】
2015105121.tif 000016
【図１５】
2015105121.tif 000017
【図１６】
2015105121.tif 000018
【図１７】
2015105121.tif 000019
【図１８】
2015105121.tif 000020
【図１９】
2015105121.tif 000021
【図２０】
2015105121.tif 000022
【図２１】
2015105121.tif 000023
【図２２】
2015105121.tif 000024
【図２３】
2015105121.tif 000025
【図２４】
2015105121.tif 000026
【図２５】
2015105121.tif 000027
【図２６】
2015105121.tif 000028
【図２７】
2015105121.tif 000029
【図２８】
2015105121.tif 000030
【図２９】
2015105121.tif 000031
【図３０】
2015105121.tif 000032
【図３１】
2015105121.tif 000033
【図３２】
2015105121.tif 000034
【図３３】
2015105121.tif 000035
【図３４】
2015105121.tif 000036
【図３５】
2015105121.tif 000037
【図３６】
2015105121.tif 000038
【図３７】
2015105121.tif 000039
【図３８】
2015105121.tif 000040
【図３９】
2015105121.tif 000041
【図４０】
2015105121.tif 000042
【図４１】
2015105121.tif 000043
【図４２】
2015105121.tif 000044
【図４３】
2015105121.tif 000045
【図４４】
2015105121.tif 000046
【図４５】
2015105121.tif 000047
【図４６】
2015105121.tif 000048
【図４７】
2015105121.tif 000049
【図４８】
2015105121.tif 000050
【図４９】
2015105121.tif 000051
【図５０】
2015105121.tif 000052
【図５１】
2015105121.tif 000053
【図５２】
2015105121.tif 000054
【図５３】
2015105121.tif 000055
【図５４】
2015105121.tif 000056
【図５５】
2015105121.tif 000057
【図５６】
2015105121.tif 000058
【図５７】
2015105121.tif 000059
【図５８】
2015105121.tif 000060
【図５９】
2015105121.tif 000061